【手続補正書】
【提出日】平成27年3月19日(2015.3.19)
【手続補正１】
【補正対象書類名】特許請求の範囲
【補正対象項目名】全文
【補正方法】変更
【補正の内容】
【特許請求の範囲】
【請求項１】
ワイヤレス機器における通信方法であって、
アクセス端末が、セルと関連する加入者グループのメンバーであると決定することと、
前記セルのアクセスモードを決定することと、
前記セルの前記アクセスモードを決定することに少なくとも部分的に基づいて、前記アクセス端末が前記セルと関連する前記加入者グループのメンバーであるという指示を含むメッセージを準備することと、
前記セルへの前記アクセス端末のハンドオーバを開始するために前記メッセージを送ることと
を含む、方法。
【請求項２】
前記セルによって提供された情報に少なくとも部分的に基づいて、前記セルの加入者グループＩＤを決定することを更に含み、前記アクセス端末が前記セルと関連する前記加入者グループのメンバーであると決定することは、前記加入者グループＩＤに少なくとも部分的に基づく、請求項１の方法。
【請求項３】
前記加入者グループＩＤは、前記セルからのメッセージを介して決定される、請求項２の方法。
【請求項４】
前記メッセージはＸ２インターフェースを介して前記セルから受信される、請求項３の方法。
【請求項５】
前記加入者グループＩＤは、隣接関係によって決定される、請求項３の方法。
【請求項６】
前記加入者グループＩＤは、非公開の加入者グループ識別子（ＣＳＧ ＩＤ）を含む、請求項２の方法。
【請求項７】
前記加入者グループＩＤは、前記セルのセルグローバル識別子（ＣＧＩ）、前記セルの物理セル識別子（ＰＣＩ）、または動作と、管理と、保守の（ＯＡＭ）構成、あるいはこれらの任意の組合せのうちの少なくとも１つに少なくとも部分的に基づいて決定される、請求項２の方法。
【請求項８】
ワイヤレス機器におけるワイヤレス通信のための装置であって、
アクセス端末が、セルと関連する加入者グループのメンバーであると決定するための手段と、
前記セルのアクセスモードを決定するための手段と、
前記セルの前記アクセスモードを決定することに少なくとも部分的に基づいて、前記アクセス端末が前記セルと関連する前記加入者グループのメンバーであるという指示を含むメッセージを準備するための手段と、
前記セルへの前記アクセス端末のハンドオーバを開始するために前記メッセージを送るための手段と、
を含む、装置。
【請求項９】
前記セルによって提供された情報に少なくとも部分的に基づいて、前記セルの加入者グループＩＤを決定するための手段を更に含み、前記アクセス端末が前記セルと関連する前記加入者グループのメンバーであると決定することは、前記加入者グループＩＤに少なくとも部分的に基づく、請求項８の装置。
【請求項１０】
前記加入者グループＩＤは、前記セルからのメッセージを介して決定される、請求項９の装置。
【請求項１１】
前記メッセージはＸ２インターフェースを介して前記セルから受信される、請求項１０の装置。
【請求項１２】
前記加入者グループＩＤは、隣接関係によって決定される、請求項１０の装置。
【請求項１３】
前記加入者グループＩＤは、非公開の加入者グループ識別子（ＣＳＧ ＩＤ）を含む、請求項９の装置。
【請求項１４】
前記加入者グループＩＤは、前記セルのセルグローバル識別子（ＣＧＩ）、前記セルの物理セル識別子（ＰＣＩ）、または動作と、管理と、保守の（ＯＡＭ）構成、あるいはこれらの任意の組合せのうちの少なくとも１つに少なくとも部分的に基づいて決定される、請求項９の装置。
【請求項１５】
ワイヤレス機器におけるワ通信のための装置であって、
プロセッサと、
前記プロセッサと電気通信するメモリと、
前記メモリに記憶されている命令と
を含み、前記命令は、前記プロセッサによって実行されると、前記装置に、
アクセス端末が、セルと関連する加入者グループのメンバーであると決定することと、
前記セルのアクセスモードを決定することと、
前記セルの前記アクセスモードを決定することに少なくとも部分的に基づいて、前記アクセス端末が前記セルと関連する前記加入者グループのメンバーであるという指示を含むメッセージを準備することと、
前記セルへの前記アクセス端末のハンドオーバを開始するために前記メッセージを送ることと
を行わせる、装置。
【請求項１６】
前記命令は、前記セルによって提供された情報に少なくとも部分的に基づいて前記セルの加入者グループＩＤを決定することを前記装置に行わせるように動作可能であり、前記アクセス端末が前記セルと関連する前記加入者グループのメンバーであると決定することは、前記加入者グループＩＤに少なくとも部分的に基づく、請求項１５の装置。
【請求項１７】
前記加入者グループＩＤは、前記セルからのメッセージを介して決定される、請求項１６の装置。
【請求項１８】
前記メッセージはＸ２インターフェースを介して前記セルから受信される、請求項１７の装置。
【請求項１９】
前記加入者グループＩＤは、隣接関係によって決定される、請求項１７の装置。
【請求項２０】
前記加入者グループＩＤは、非公開の加入者グループ識別子（ＣＳＧ ＩＤ）を含む、請求項１６の装置。
【請求項２１】
前記加入者グループＩＤは、前記セルのセルグローバル識別子（ＣＧＩ）、前記セルの物理セル識別子（ＰＣＩ）、または動作と、管理と、保守の（ＯＡＭ）構成、あるいはこれらの任意の組合せのうちの少なくとも１つに少なくとも部分的に基づいて決定される、請求項１６の装置。
【請求項２２】
通信のためのコードを記憶したコンピュータ可読記憶媒体であって、前記コードは、
アクセス端末が、セルと関連する加入者グループのメンバーであると決定することと、
前記セルのアクセスモードを決定することと、
前記セルの前記アクセスモードを決定することに少なくとも部分的に基づいて、前記アクセス端末が前記セルと関連する前記加入者グループのメンバーであるという指示を含むメッセージを準備することと、
前記セルへの前記アクセス端末のハンドオーバを開始するために、前記メッセージを送ることと
を行うように実行可能な命令を備える、コンピュータ可読記憶媒体。
【請求項２３】
前記命令は、前記セルによって提供された情報に少なくとも部分的に基づいて、前記セルの加入者グループＩＤを決定するように実行可能であり、前記アクセス端末が前記セルと関連する前記加入者グループのメンバーであると決定することは、前記加入者グループＩＤに少なくとも部分的に基づく、請求項２２のコンピュータ可読記憶媒体。
【請求項２４】
前記加入者グループＩＤは、前記セルからのメッセージを介して決定される、請求項２３のコンピュータ可読記憶媒体。
【請求項２５】
前記メッセージはＸ２インターフェースを介して前記セルから受信される、請求項２４のコンピュータ可読記憶媒体。
【請求項２６】
前記加入者グループＩＤは、隣接関係によって決定される、請求項２４のコンピュータ可読記憶媒体。
【請求項２７】
前記加入者グループＩＤは、非公開の加入者グループ識別子（ＣＳＧ ＩＤ）を含む、請求項２３のコンピュータ可読記憶媒体。
【請求項２８】
前記加入者グループＩＤは、前記セルのセルグローバル識別子（ＣＧＩ）、前記セルの物理セル識別子（ＰＣＩ）、または、動作と、管理と、保守の（ＯＡＭ）構成、あるいはこれらの任意の組合せのうちの少なくとも１つに少なくとも部分的に基づいて決定される、請求項２３のコンピュータ可読記憶媒体。